(57)【要約】【課題】水の浸入を確実に防止することができる電気機器収納箱用パッキンとこれを用いた両扉式の電気機器収納用箱を提供する。【解決手段】本発明の電気機器収納箱用パッキンは、パッキン本体の裏面を、扉または筺体本体のいずれか一方の部材への貼付面４０とし、パッキン本体の表面を、扉を閉じたときに他方の部材に密着する密着面４１とし、パッキン本体には、扉を閉じたときに他方の部材に対する反発力を高める弾性部２３を形成したことを特徴とする。このパッキンを両扉式の電気機器収納用箱に用いれば、水の浸入を確実に防止することができる。【選択図】図８
2018129382.tif 000002
【特許請求の範囲】
【請求項１】
開閉扉を備えた開口部の周縁に貼着される電気機器収納箱用パッキンであって、パッキン本体の裏面を、扉または筺体本体のいずれか一方の部材への貼付面とし、パッキン本体の表面を、扉を閉じたときに他方の部材に密着する密着面とし、パッキン本体には、扉を閉じたときに他方の部材に対する反発力を高める弾性部を形成したことを特徴とする電気機器収納箱用パッキン。
【請求項２】
パッキン本体が中空構造であり、前記弾性部をパッキン本体の裏面から表面にわたるように形成したことを特徴とする請求項１記載の電気機器収納箱用パッキン。
【請求項３】
前記弾性部に対応するパッキン本体の表面に、パッキン本体とは反発力が異なる別のパッキンを貼り付けたことを特徴とする請求項１または２に記載の電気機器収納箱用パッキン。
【請求項４】
前記弾性部とパッキン本体を別部材としたことを特徴とする請求項１〜３の何れかに記載の電気機器収納箱用パッキン。
【請求項５】
先に閉じられる一方扉の端部と、後に閉じられる他方扉の端部とを重ね合せ、筐体本体の開口部を覆う両扉式の電気機器収納用箱であって、一方扉の少なくとも上面の端部には水切金具が配置され、他方扉の端部の前記水切金具に対応する位置には、請求項１〜４の何れかに記載の電気機器収納箱用パッキンを貼付したことを特徴とする両扉式の電気機器収納用箱。
【発明の詳細な説明】
【技術分野】
【０００１】
本発明は、電気機器収納箱用パッキンと、これを用いた両扉式の電気機器収納用箱に関するものである。
【背景技術】
【０００２】
両扉式の電気機器収納用箱としては、筐体本体に垂直方向の回転軸により軸支された先に閉じられる一方扉の端部と、同じく筐体本体に垂直方向の回転軸により軸支された後に閉じられる他方扉の端部とを中央で重ね合せ、筐体本体の開口部を覆う構造が一般的である。
【０００３】
なお本明細書においては、先に閉じられる扉を「一方扉」、後に閉じられる扉を「他方扉」と記す。多くの場合、一方扉は左扉、他方扉は右扉である。また本明細書において扉の端部とは、各扉の中央側の端部を指すものとする。
【０００４】
屋外仕様の電気機器収納用箱においては、筐体本体の周縁を囲うように水切部が形成され、この水切部に扉の内側周縁部に設けられたパッキンを当接させ、シールする構造となっている。１枚扉の場合にはシール構造は単純であるが、両扉式の場合には双方の扉の端部が重なり合う中央部分のシールが問題となる。
【０００５】
このため特許文献１に示されるように、一方扉の端部の上下に断面がコの字状の水切金具を設け、一方扉とこの水切金具との内面には筐体本体の水切部と当接するパッキンを貼り付けてある。また、他方扉の内側周縁部にもパッキンが設けられており、水切金具の外面と当接してシールする構造が採用されている。
【０００６】
図１３と図１４に特許文献１に示されたような従来構造の要部の水平断面を示す。５０は筐体本体の水切部、５１は先に閉じられる一方扉、５２は後に閉じられる他方扉、５３は一方扉５１に設けられた水切金具、５４は水切金具５３の裏面に形成されたパッキン、５５は他方扉５２の裏面に形成されたパッキンである。
【０００７】
まず図１３に示されるように一方扉５１が閉じてパッキン５４が水切部５０に密着し、その後に図１４に示すように他方扉５２が一方扉５１の外側から閉じ、パッキン５５が水切部５０の外面に密着する。パッキン５５は変形し易い中空パッキンである。
【０００８】
図１３から図１４の状態に至るとき、パッキン５５は水切部５０と当接して面圧を受け、図１４中に矢印で示す方向に変形する。この変形に連れてパッキン５５の表面５６が矢印方向に引っ張られ、図１４に示すように筐体本体の水切部５０との間に隙間５７が発生することがある。その結果、この隙間５７から筐体本体の内部に水が浸入するおそれがある。
【先行技術文献】
【特許文献】
【０００９】
【特許文献１】特開２００６―０７４６４号公報
【発明の概要】
【発明が解決しようとする課題】
【００１０】
従って本発明の目的は上記した従来の問題点を解決し、水の浸入を確実に防止することができる、電気機器収納箱用パッキンとこれを用いた両扉式の電気機器収納用箱を提供することである。
【課題を解決するための手段】
【００１１】
上記の課題を解決するためになされた本発明は、開閉扉を備えた開口部の周縁に貼着される電気機器収納箱用パッキンであって、パッキン本体の裏面を、扉または筺体本体のいずれか一方の部材への貼付面とし、パッキン本体の表面を、扉を閉じたときに他方の部材に密着する密着面とし、パッキン本体には、扉を閉じたときに他方の部材に対する反発力を高める弾性部を形成したことを特徴とするものである。なお、パッキン本体が中空構造であり、前記弾性部をパッキン本体の裏面から表面にわたるように形成することができる。また、前記弾性部に対応するパッキン本体の表面に、パッキン本体とは反発力が異なる別のパッキンを貼り付けた構造とすることができる。また、前記弾性部とパッキン本体を別部材とすることができる。
【００１２】
また本発明の両扉式の電気機器収納用箱は、先に閉じられる一方扉の端部と、後に閉じられる他方扉の端部とを重ね合せ、筐体本体の開口部を覆う両扉式の電気機器収納用箱であって、一方扉の少なくとも上面の端部には水切金具が配置され、他方扉の端部の前記水切金具に対応する位置には、上記の何れかに記載の電気機器収納箱用パッキンを貼付したことを特徴とするものである。
【発明の効果】
【００１３】
本発明の電気機器収納箱用パッキンは、パッキン本体に、扉を閉じたときに他方の部材に対する反発力を高める弾性部を形成したので、弾性に優れる。このため、一方の部材に形成したパッキンをこの弾性部によって他方の部材の方向に押し返すことができ、一方の部材と他方の部材間に生じる隙間を防止することができる。
【図面の簡単な説明】
【００１４】
【図１】実施形態の電気機器収納用箱の全体を示す斜視図である。
【図２】一方扉を閉じた状態を示す斜視図である。
【図３】図２の要部の拡大図である。
【図４】パッキンを省略して水切金具を示す扉裏面側からの斜視図である。
【図５】一方扉の端部を扉裏面側から見た斜視図である。
【図６】一方扉の端部を扉裏面側から見た正面図である。
【図７】他方扉の先端部を扉裏面側から見た斜視図である。
【図８】他方扉の先端部の水平断面図である。
【図９】一方扉と他方扉の重なり状態を示す水平断面図である。
【図１０】一方扉と他方扉の重なり状態を示す水平断面図である。
【図１１】他の実施形態における一方扉と他方扉の重なり状態を示す水平断面図である。
【図１２】さらに他の実施形態における一方扉と他方扉の重なり状態を示す水平断面図である。
【図１３】従来構造の要部の水平断面図である。
【図１４】従来構造の要部の水平断面図である。
【発明を実施するための形態】
【００１５】
以下に本発明の好ましい実施形態を示す。
【００１６】
（全体構造）
図１は両扉式の電気機器収納用箱の全体を示す斜視図であり、１は前面が開口している筐体本体、２は筐体本体１に垂直方向の回転軸により軸支された先に閉じられる一方扉（左扉）、３は筐体本体１に垂直方向の回転軸４により軸支された他方扉（右扉）である。一方扉２にはハンドル５が設けられ、他方扉３には図示されていないハンドルの裏面に、一方扉２の端部の裏面に係止される止め金６、これと連動する鎖錠棒７などが設けられている。
【００１７】
筐体本体１の開口部の周縁には、周縁を囲うように水切部１０が形成されている。水切部１０は図２、図３に示されるように、筐体本体１の周縁をＵ字溝が形成されるように折り曲げたものである。また、一方扉２の裏面と他方扉３の裏面には、後述するパッキンがそれぞれ設けられている。これらのパッキンはコ字状であり開口が対向するように各扉の裏面に貼り付けられるが、後で閉じられる他方扉３のパッキンはロ字状としてもよい。これらのパッキンは扉を閉じたときに筐体本体１の水切部１０の垂直面に密着し、従来と同様、水の浸入を防止するものである。
【００１８】
（水切金具）
一方扉２の中央側の垂直端部には、図３に示されるように筐体本体１の奥行方向に窪む溝部１２が形成されている。この溝部１２の上下端部には水切金具１３が形成されている。この溝部１２は両扉の中央の合わせ部から水が浸入しても水切金具１３を伝わって溝部１２内を流下させ、筐体本体１の内部への浸入を防止するためのものである。
【００１９】
水切金具１３は一方扉２の端部に溶接されたものであり、図４に示すように一方扉２への溶接面となる取付片１４と、外側に延びる第１片１５と、取付片１４と第１片１５の上面を覆う第２片１６とが一連に形成されている。第２片１６は取付片１４の上部より扉内側方向に延設されている。取付片１４の上端部には平面部１８が形成され、その上端に第２片１６が形成されている。
【００２０】
（一方扉のパッキン）
図５以下に示すように、一方扉２の裏面にはパッキン２０が設けられている。図５、図６は一方扉２の裏面側からパッキン２０を見た斜視図であり、パッキン２０は水切金具１３の裏面を水平方向に横断するように一方扉２の裏面に貼り付けられている。パッキン２０は反発力の小さい中空構造のパッキンであり、一方扉２を小さい力で閉じることができるようになっている。このパッキン２０の表面は、一方扉２を閉じたときに変形しながら広い面積で筐体本体１の水切部１０に密着し、防水性能を高めている。パッキン２０の先端には先細の突出部２１が形成されている。
【００２１】
（他方扉のパッキン）
図７、図８に示すように、他方扉３の裏面周縁部にも同様の中空構造のパッキン本体を備えた第１パッキン２２が貼り付けられている。図７は他方扉３を内面側から見た斜視図である。この第１パッキン２２は、パッキン本体の裏面を、扉または筺体本体のいずれか一方の部材への貼付面４０とし、パッキン本体の表面を、扉を閉じたときに他方の部材に密着する密着面４１としたもので、パッキン本体には、扉を閉じたときに他方の部材に対する反発力を高める弾性部２３が形成されている。この弾性部２３は図９、図１０に示すように他方扉３を閉じたときに一方扉２の水切金具１３に隣接する位置の反発力を高めるためのものである。
【００２２】
詳しくは、弾性部２３は他方扉３を閉じたときに水切金具１３に隣接する位置に形成、水切金具１３から左右方向にずらして配置されるので、他方扉３の開閉操作に対する反発力を最小限とすることができ、他方扉３の開閉操作を楽に行うことができる。なお、弾性部２３の材料としては特に限定するものではなく、第１パッキン２２と同材質のものであっても良く、少なくとも、中空構造のパッキンからなる第１パッキン２２の他の部位よりも反発力が高くなるようになれば良い。なお、弾性部２３は第１パッキン２２のパッキン本体の裏面から表面に渡るように形成され、詳しくは、第１パッキン２２の中空パッキンの貼付面４０の内面から、密着面４１の内面に渡るように形成されている。
【００２３】
図７〜図１０に示す実施形態では、第１パッキン２２の表面に第１パッキン２２よりも柔らかい反発力が異なるパッキンで、スポンジ状の材質からなる第２パッキン２４が貼り付けられている。第２パッキン２４は柔らかいスポンジ状の材質からなるため、他方扉３を閉じたときに水切金具１３及び突出部２１に追従するように変形して隙間が生じることを防止している。弾性部２３は、図１０に示すように一方扉２の外から他方扉３を閉じたときに、水切金具１３によって引っ張られた第１パッキン２２を筐体本体１の水切部１０の方向に押し返し、隙間の発生を防止するものである。
【００２４】
なお、この弾性部２３の配置位置は、第２パッキン２４の端部対応位置、詳しくは筐体本体１の奥行方向に重複するように配置されている。そのため、他方扉３を閉じたときに、第２パッキン２４が水切金具１３と当接することで変形するが、弾性部２３により第２パッキン２４の端部を水切部１０に押さえつけるように形成されるため、第２パッキン２４の端部に隙間が生じることを防止している。
【００２５】
また図１１に示す他の実施形態では、中空構造のパッキン本体からなる第１パッキン２２の内部に、パッキン本体よりも弾性に優れた第１パッキン２２とは別部材からなる弾性部２５を着脱自在に挿入して弾性部２３を構成している。このようにすれば、第１パッキン２２が水切金具１３に当接する位置の反発力が高まることがないため、他方扉３を閉じるに要する力が少なくて済む利点がある。このような弾性部２５は第１パッキン２２の裏面の内面側と表面の内面側に当接するように配置されることが望ましい。
【００２６】
さらに図１２に示す他の実施形態は、第１パッキン２２のみ他方扉３に形成したもので、この場合も第１パッキン２２の水切金具１３に隣接する位置の内部に弾性に優れた弾性部２６を封入している。この構造としても、他の実施形態と同様に水切金具１３によって引っ張られた第１パッキン２２を筐体本体１の水切部１０の方向に押し返し、隙間の発生を防止することができる。
【００２７】
また、本実施形態においては、他方扉３に第１パッキン２２を貼り付けるものとしたが、筐体本体１側の水切部１０にパッキン２２に貼り付けるものであっても良く、この場合においても弾性部２３によって、他方扉３に対して反発力を高め、防水性能を高めることができる。
【００２８】
以上に説明したように、本発明によれば、水切金具１３によって変形した第１パッキン２２を弾性部２３によって筐体本体１の水切部１０の方向に押し返すことができ、他方扉３と一方扉２の水切金具１３との間の隙間を防止することができる。なお、本実施形態においては、両扉式の電気機器収納用箱の後に閉じられる他方扉３に形成される第１パッキン２２について説明をしたが、他方扉３のみからなる電気機器収納用箱であっても良く、この場合でも第１パッキン２２と弾性部２３により筐体本体１に対して反発力を高めるため、防水性能を高めることができる。
【符号の説明】
【００２９】
１  筐体本体
２  一方扉（左扉）
３  他方扉（右扉）
４  回転軸
５  ハンドル
６  止め金
７  鎖錠棒
１０  水切部
１２  溝部
１３  水切金具
１４  取付片
１５  第１片
１６  第２片
１８  平面部
２０  パッキン
２１  突出部
２２  第１パッキン
２３  弾性部
２４  第２パッキン
２５  弾性部
２６  弾性部
４０  貼付面
４１  密着面
５０  筐体本体の水切部
５１  一方扉
５２  他方扉
５３  水切金具
５４  パッキン
５５  パッキン
５６  パッキンの表面
５７  隙間
【図１】
2018129382.tif 000003
【図２】
2018129382.tif 000004
【図３】
2018129382.tif 000005
【図４】
2018129382.tif 000006
【図５】
2018129382.tif 000007
【図６】
2018129382.tif 000008
【図７】
2018129382.tif 000009
【図８】
2018129382.tif 000010
【図９】
2018129382.tif 000011
【図１０】
2018129382.tif 000012
【図１１】
2018129382.tif 000013
【図１２】
2018129382.tif 000014
【図１３】
2018129382.tif 000015
【図１４】
2018129382.tif 000016